(57)【要約】【課題】  形態電話機に代表される無線通信装置の無線回路用の基板の設計を共通化して、設計や製造のコストを削減すること。【解決手段】  無線回路１１，１２と、これらの無線回路１１，１２をアンテナ１５に接続制御するためのスイッチ１４と、同軸ケーブル１８を接続するためのコネクタ１６とが実装された無線回路用回路基板６において、当該コネクタ１６と当該スイッチ１４の端子ａ〜ｄとの間の信号経路を断続すべくこの回路基板６に対して着脱自在なコンデンサ２０〜２２を設ける。この回路基板６を共通化部分として、無線回路を追加する時には、同軸ケーブル１８に追加する無線回路を接続し、コンデンサ２１と終端抵抗１９を取外し、アンテナ実装態様を変更する場合には、同軸ケーブル１８に変更するアンテナを接続し、コンデンサ２２を取り外す。【選択図】      図１
2008306322.tif 000002
【特許請求の範囲】
【請求項１】
無線回路と、前記無線回路をアンテナに接続制御するためのスイッチと、同軸ケーブルを接続するためのコネクタとが実装された無線回路用回路基板であって、
前記コネクタと前記スイッチの端子との間の信号経路を断続すべく前記回路基板に対して着脱自在なコンデンサを含むことを特徴とする回路基板。
【請求項２】
前記スイッチの端子が開放状態になった場合に該端子を終端すべく前記回路基板に対して着脱自在な抵抗を、更に含むことを特徴とする請求項１記載の回路基板。
【請求項３】
前記コネクタに接続された同軸ケーブルには、外部の他の無線回路が接続されることを特徴とする請求項１または２記載の回路基板。
【請求項４】
前記コネクタに接続された同軸ケーブルには、外部のアンテナが接続されることを特徴とする請求項１または２記載の回路基板。
【請求項５】
請求項１〜４いずれか記載の回路基板を含むことを特徴とする無線通信装置。
【請求項６】
移動通信端末であることを特徴とする請求項５記載の無線通信装置。
【発明の詳細な説明】
【技術分野】
【０００１】
本発明は無線回路用回路基板及びそれを用いた無線通信装置に関し、特に携帯電話機などの移動通信端末に用いて好適な無線回路用回路基板に関するものである。
【背景技術】
【０００２】
近年、携帯電話機や簡易型携帯電話機（ＰＨＳ）などに代表される移動通信端末が広く普及している。このような移動通信端末では、１台の端末で、異なる２つの周波数帯に対して対応可能な、いわゆるデュアルバンド仕様のものが開発され製品化されているが、今後は、３以上の異なる周波数帯に対しても対応可能なマルチバンド仕様の端末も出現することが予想される。なお、この様な複数のバンドに対応可能な移動通信端末の例として、特許文献１に開示のものがある。
【０００３】
この様なマルチバンド対応の移動通信端末における無線部分の実装例を図７、図８に示す。先ず、図７を参照すると、回路基板１には、互いに異なる周波数帯に対応する無線回路１１と無線回路１２とが実装されており、また、これら無線回線１１，１２のいずれかをアンテナ５に接続するためのアンテナ切替スイッチ１４が実装されている。更に、上記の無線回路１１，１２の周波数帯とは異なる周波数帯に対応する無線回路１３に接続するための同軸コネクタ１６も、基板１に実装されており、この同軸コネクタ１６はアンテナ切替スイッチ１４に接続されている。
【０００４】
そして、無線回路１３は他の回路基板２に実装されており、この基板１２には、当該無線回路１３に接続された同軸コネクタ１７も実装されている。基板１と基板２とは、同軸コネクタ１６及び１７間の同軸ケーブル１８により電気的に接続される構成となっている。この様な実装構造により、無線回路１１，１２及び１３の１つが、アンテナ切替スイッチ１４を切替制御することによって、アンテナ５に接続されることになって、それぞれ、異なる３つの周波数帯の通信が可能となるのである。
【０００５】
次に、図８を参照すると、回路基板３には、互いに異なる周波数帯に対応する無線回路１１と無線回路１２とが実装されており、また、これら無線回路１１，１２のいずれかをアンテナ１５に接続するためのアンテナ切替回路１４が実装されている。更に、アンテナ１５が実装された回路基板４に接続するための同軸コネクタ１６が実装されており、また、アンテナ切替回路１４の空き端子を終端する終端抵抗１９も実装されている。
【０００６】
そして、アンテナ１５が実装された基板４には、アンテナ１５に接続された同軸コネクタ１７が実装されており、基板３と基板４とは、同軸コネクタ１６及び１７間の同軸ケーブル１８により電気的に接続される構成となっている。この様な実装構造により、無線回路１１及び１２の１つが、アンテナ切替スイッチ１４を切替制御することによって、アンテナ１５に接続されることになって、互いに異なる２つの周波数帯の通信が可能となるのである。
【０００７】
【特許文献１】特開２００１−２９２０７３号公報
【発明の開示】
【発明が解決しようとする課題】
【０００８】
上述した図７に示すような実装構造を有する移動通信端末と、図８に示すような実装構造を有する移動通信端末とを製造する必要がある場合、それぞれの実装構造を有する２種類の移動通信端末を、互いに独立して設計製造することが必要になる。すなわち、移動通信端末において、使用無線周波数帯が増加する場合（図７のように、無線回路１１，１２の他に、更に無線回路１３が必要となる場合）や、アンテナの実装態様を変更する必要がある場合（図７のアンテナ５から図８のアンテナ１５に変更する必要がある場合）には、それに対応して、図７の基板１や図８の基板３を、それぞれに独立に設計して製造することが必要になる。その結果、移動通信端末を作り直す度に、設計及び製造のためのコストがかかり、コスト増の大きな要因となっている。
【０００９】
本発明の目的は、回路や基板設計を共通化可能として装置の製造コストの削減を図った無線回路用回路基板及びそれを用いた無線通信装置を提供することである。
【課題を解決するための手段】
【００１０】
本発明による回路基板は、無線回路と、前記無線回路をアンテナに接続制御するためのスイッチと、同軸ケーブルを接続するためのコネクタとが実装された無線回路用回路基板であって、前記コネクタと前記スイッチの端子との間の信号経路を断続すべく前記回路基板に対して着脱自在なコンデンサを含むことを特徴とする。
【００１１】
本発明による無線通信装置は、上記の回路基板を用いたことを特徴とする。
【発明の効果】
【００１２】
本発明によれば、使用無線周波数の増加やアンテナ実装態様の変更などに対して、回路や基板設計をできるだけ共通化するようにして、装置の製造コストの削減を図ることができるという効果がある。
【発明を実施するための最良の形態】
【００１３】
以下に、本発明の実施例について図面を参照しつつ詳細に説明する。図１〜図３は本発明の一実施例を示す回路図であり、図７，８と同等部分は同一符号により示している。図１は本発明の一実施例による無線回路の共通化部分を示し、図２は図１の共通化部分を用いた場合における無線周波数帯の増加例を示し、図３は同じくアンテナ実装態様の変更例を示すものである。
【００１４】
図１を参照すると、本発明の一実施例による共通化部分は、回路基板６によって実現される。回路基板６には、無線回路１１，１２と、これら無線回路を択一的にアンテナ１５（図２参照）へ接続するためのアンテナ切替スイッチ１４と、外部の同軸ケーブル１８が接続される同軸コネクタ１６とが実装されている。アンテナ切替スイッチ１４の端子ｂは無線回路１１に接続され、またスイッチ１４の端子ｃは無線回路１２に接続されている。更に、スイッチ１４の端子ｄは、基板６の接続端子２８に接続され、端子ａは基板６の接続端子２４，２６に接続されている。
【００１５】
接続端子２４と２３との間には、基板６に対して着脱自在なコンデンサ２０が接続されており、接続端子２６と２５との間には、同じく着脱自在なコンデンサ２１が接続されている。接続端子２８と２７との間には、同じく着脱自在なコンデンサ２２が接続されている。また、接続端子２８とグランド間には、同じ着脱自在な終端抵抗１９が接続されている。そして、接続端子２５と２７とは、同軸コネクタ１６に接続されている。
【００１６】
図１に示したこの共通化部分に対して、更に他の無線回路１３を追加接続する必要がある場合には、図２に示す如く、追加無線回路１３が実装された回路基板２の同軸コネクタ１７に、同軸ケーブル１８の一端を接続し、この同軸ケーブル１８の他端を回路基板６の同軸コネクタ１６へ接続するのである。そして、接続端子２３にアンテナ５を接続し、コンデンサ２１を回路基板６から取外すと共に、終端抵抗１９をも取外す。
【００１７】
こうすることによって、アンテナ切替スイッチ１４の端子ａにはアンテナ５が、端子ｂ〜ｄの各々には無線回路１１〜１３がそれぞれ接続される。よって、アンテナ切替スイッチ１４を切替制御することにより、無線回路１１〜１３が択一的にアンテナ５に接続され、所望とする無線周波数帯の通信が可能となる。
【００１８】
図１に示した共通化部分に対して、アンテナ実装態様を変更する必要がある場合には、図３に示す如く、アンテナ１５が実装された回路基板４の同軸コネクタ１７に、同軸ケーブル１８の一端を接続し、この同軸ケーブル１８の他端を回路基板６の同軸コネクタ１６へ接続するのである。そして、コンデンサ２０及び２２を回路基板６から取外す。
【００１９】
こうすることにより、アンテナ切替スイッチ１４の端子ａにはアンテナ１５が接続され、スイッチ１４の端子ｂ，ｃには無線回路１１，１２がそれぞれ接続される。そして、スイッチ１４の端子ｄには終端抵抗１９が接続される。よって、アンテナ切替スイッチ１４を切替制御することによって、無線回路１１，１２が択一的に、回路基板４に実装されたアンテナ１５に接続されることになるのである。
【００２０】
次に、図４〜図６を用いて、本発明の他の実施例について説明する。なお、図４〜図６において、図１〜図３と同等部分は同一符号により示している。図４は本発明の他の実施例による共通化部分を示し、図５は図４の共通化部分を用いた場合における無線周波数帯の増加例を示し、図６は同じくアンテナ実装態様の変更例を示している。
【００２１】
図４を参照すると、本発明の他の実施例による共通化部分は、回路基板８によって実現される。回路基板８には、無線回路１１と、アンテナ切替スイッチ１４と、外部の同軸ケーブル１８及び３８がそれぞれ接続される同軸コネクタ１６及び３６とが実装されている。アンテナ切替スイッチ１４の端子ｂは無線回路１１に接続され、スイッチ１４の端子ｃ及びｄは、基板８の接続端子３４及び２８にそれぞれ接続されている。更に、スイッチ１４の端子ａは基板の接続端子２４及び２６に接続され、端子ｅは接続端子３２に接続されている。
【００２２】
接続端子２４と２３との間には、基板８に対して着脱自在なコンデンサ２０が接続されており、接続端子２６と２５との間には、同じく着脱自在なコンデンサ２１が接続されている。接続端子３２と３１との間には、同じく着脱自在なコンデンサ２９が、また、接続端子３４と３３との間には、同じく着脱自在なコンデンサ３０が、それぞれ接続されている。そして、接続端子２８とグランド間、及び接続端子３４とグランド間には、それぞれ終端抵抗１９及び３５が接続されている。また、接続端子２５，２７は同軸コネクタ１６に接続され、接続端子３１，３３は同軸コネクタ３６に接続されている。
【００２３】
図４に示したこの共通化部分に対して、更に他の無線回路１２及び１３を追加接続する必要がある場合には、図５に示す如く、これら無線回路１２，１３が実装された回路基板９の同軸コネクタ１７，３７に、それぞれ同軸ケーブル１８，３８の各一端を接続し、これら同軸ケーブル１８，３８の各他端を回路基板８の同軸コネクタ１６，３６へそれぞれ接続するのである。そして、接続端子２３にアンテナ１５を接続し、コンデンサ２１及び２９を回路基板８から取外すと共に、終端抵抗１９及び３５をも取外す。
【００２４】
こうすることによって、アンテナ１５がアンテナ切替スイッチ１４の端子ａに接続され、スイッチ１４の端子ｂ，ｃ，ｄには、それぞれ無線回路１１，１２，１３が接続される。よって、アンテナ切替スイッチ１４を切替制御することにより、無線回路１１〜１３が択一的に、アンテナ１５に接続されることになる。
【００２５】
図４に示した共通化部分に対して、アンテナ実装態様を変更する必要がある場合には、図６に示す如く、アンテナ１５，３９が実装された回路基板１０の同軸コネクタ１７，３７に、同軸ケーブル１８，３８の各一端をそれぞれ接続し、これら同軸ケーブル１８，３８の各他端を回路基板８の同軸コネクタ１６，３６にそれぞれ接続する。そして、コンデンサ２０，２１，３０を回路基板８から取外すのである。
【００２６】
こうすることにより、アンテナ切替スイッチ１４の端子ａにはアンテナ１５が接続され、また、端子ｅにはアンテナ３９が接続される。更に、スイッチ１４の端子ｂには無線回路１１が接続される。なお、スイッチ１４の端子ｃ，ｄには終端抵抗３５，１９がそれぞれ接続されて終端される。よって、アンテナ切替スイッチ１４を切替制御することにより、無線回路１１のアンテナとして、アンテナ１５かアンテナ３９かを選択することが可能になる。
【００２７】
以上述べたように、共通化部分の回路基板６や８の同軸コネクタ１６や３８に接続されている同軸ケーブル１８や３８を、他の無線回路に接続するか、他のアンテナに接続するか変更できるように、信号経路断続用のコンデンサと、スイッチ１４の端子が開放状態になったときに当該端子を終端する終端抵抗とを設け、これらコンデンサや抵抗を回路基板に対して着脱自在に構成することにより、同一の回路基板６や８を用いて２通りの回路構成をとることができることになる。
【００２８】
なお、上記の各実施例は、携帯電話機やＰＨＳに代表される移動通信端末に適用可能であるが、それに限らず、広く一般の無線通信装置に適用できることは勿論である。
【図面の簡単な説明】
【００２９】
【図１】本発明の一実施例の回路構成を示す図である。
【図２】図１の回路を用いた一応用例を示す図である。
【図３】図１の回路を用いた他の応用例を示す図である。
【図４】本発明の他の実施例の回路構成を示す図である。
【図５】図４の回路を用いた一応用例を示す図である。
【図６】図４の回路を用いた他の応用例を示す図である。
【図７】本発明に関連する技術の一例を示す図である。
【図８】本発明に関連する技術の他の例を示す図である。
【符号の説明】
【００３０】
２，４，６，８  共通化部分（共通回路基板）
９，１０  回路基板
１１〜１３  無線回路
１４  アンテナ切替スイッチ
５，１５，３９  アンテナ
１６，１７，３６，３７  同軸コネクタ
１８，３８  同軸ケーブル
１９，３５  終端抵抗
２０〜２２，２９，３０  経路切替コンデンサ
【図１】
2008306322.tif 000003
【図２】
2008306322.tif 000004
【図３】
2008306322.tif 000005
【図４】
2008306322.tif 000006
【図５】
2008306322.tif 000007
【図６】
2008306322.tif 000008
【図７】
2008306322.tif 000009
【図８】
2008306322.tif 000010